【手続補正書】
【提出日】平成31年2月28日(2019.2.28)
【手続補正１】
【補正対象書類名】特許請求の範囲
【補正対象項目名】全文
【補正方法】変更
【補正の内容】
【特許請求の範囲】
【請求項１】
熱間成形された構造の部品を製造するための押圧システムであって、システムは、固定された下部の本体と、可動性の上部の本体と、前記固定された下部の本体に対して、前記可動性の上部の本体を上へ及び下へ押す進行を提供するように構成された機構と、を備え、
システムは、選択された部分が、局所的に異なる微細構造及び機械的特性を得ることができるように、前もって加熱されたブランクの選択された部分を冷却及び／または加熱するように構成された冷却／加熱道具と、前記ブランクを引くように構成された押圧道具と、前記冷却／加熱道具から前記押圧道具へ前記ブランクを移動するためのブランク移動機構と、を備え、
冷却／加熱道具は、上部及び下部の対になっている冷却／加熱金型を備え、それぞれの冷却金型は、使用において、前記ブランクに面する１以上の機能表面を備える、２以上の金型ブロックによって形成され、前記上部の冷却／加熱金型は、前記可動性の上部の本体と連結され、前記下部の冷却／加熱金型は、前記固定された下部の本体と連結され、
前記上部及び下部の金型は、局所的に異なる微細構造及び機械的特性を有する前記ブランクの領域に対応する、異なる温度で操作されるように構成された２以上の金型ブロックを備え、
前記押圧道具は、前記冷却／加熱道具の下流に配置され、上部と下部の対になっている金型を備え、それぞれの押圧金型は、使用において、前記ブランクに面する１以上の機能表面を備え、前記上部の押圧金型は、前記上部の本体に結びつけられ、前記下部の押圧金型は、前記下部の本体に結びつけられるシステム。
【請求項２】
前記冷却／加熱道具の下部の金型は、前記下部の本体からのあらかじめ決定された第１の距離における位置へ、前記下部の金型を付勢するように構成された１以上の下部の付勢要素を備える前記下部の本体と連結され、及び／または、前記冷却／加熱道具の上部の金型は、前記上部の本体からのあらかじめ決定された第２の距離における位置へ、前記上部の金型を付勢するように構成された１以上の上部の付勢要素を備える前記上部の本体と連結される、請求項１に記載のシステム。
【請求項３】
高い温度で操作するように構成された前記ブロックは、１以上の電気ヒータ及び／または熱い液体を案内する経路を備える、請求項１または２に記載のシステム。
【請求項４】
低い温度で操作するように構成された前記ブロックは、冷却液及び／または空気を案内する経路を備える、請求項１乃至３のいずれかに記載のシステム。
【請求項５】
前記押圧道具の上部及び下部の対になっている金型はさらに、局所的に異なる微細構造と機械的特性を有する前記ブランクの領域に対応する異なる温度で、操作するように構成された２以上の金型ブロックを備える、請求項１乃至４のいずれか１項に記載のシステム。
【請求項６】
高い温度で操作するように構成された前記ブロックは、１以上の電気ヒータ及び／または熱い液体を案内する経路を備える、請求項５に記載のシステム。
【請求項７】
さらに、切り取る及び／または突き通す操作を実行するように構成された第１の後操作道具を備え、前記第１の後操作道具は、前記押圧道具の下流に配置され、上部及び下部の対になっている第１の後操作道具の金型を備え、
それぞれの金型は、使用において前記ブランクに面する１以上の機能表面を備え、
前記上部の第１の後操作道具の金型は、前記上部の本体に結びつけられ、前記下部の第１の後操作道具の金型は、前記下部の本体に結びつけられ、
前記第１の後操作道具の金型は、前記機能表面に配置された、１以上のナイフまたは鋸刃を備え、
前記ブランク移動機構は、さらに前記押圧道具から前記第１の後操作道具へ前記ブランクを移動するように構成される、請求項１乃至６のいずれか１項に記載のシステム。
【請求項８】
前記第１の後操作道具の上部及び下部の対になっている金型はさらに、局所的に異なる微細構造と機械的特性を有する前記ブランクの領域へ対応する異なる温度で操作するように構成された金型ブロックを備える、請求項７に記載のシステム。
【請求項９】
さらに、切り取る及び／または突き通す操作を実行するように構成された第２の後操作道具を備え、前記第２の後操作道具は、前記第１の後操作道具の下流に配置され、上部及び下部の対になっている第２の後操作道具の金型を備え、
それぞれの金型は、使用において前記ブランクに面する１以上の機能表面を備え、
前記上部の第２の後操作道具の金型の反対は、前記上部の本体に結びつけられ、前記下部の第２の後操作道具の金型は、前記下部の本体に結びつけられ、
前記金型は、前記機能表面に配置された、１以上のナイフまたは鋸刃を備え、
前記ブランク移動機構は、さらに前記第１の後操作道具から前記第２の後操作道具へ前記ブランクを移動するように構成される、請求項７または８に記載のシステム。
【請求項１０】
ブランクを加熱及び冷却するための方法であって、
請求項１乃至９のいずれかに記載の押圧システムを提供し、
超高強度鋼（ＵＨＳＳ）から作られた被熱間成形ブランクを提供し、
前記ブランクを加熱し、
押圧機構を用いて、開いた位置に押す前記上部の本体を配置し、
前記冷却／加熱道具の上部及び下部の対になっている金型の間に前記ブランクを配置し、
前記ブランクを押圧するために、前記固定された下部の本体に対して、最終的な所望の位置になるまで、前記上部の金型が、前記下部の金型へ向かって動かされるように、前記固定された下部の本体に対して、前記可動性の上部の本体の下へ押す進行を提供することによって、少なくとも前記ブランクの選択された位置を冷却し、
局所的に異なる微細構造と機械的特性を有するように、被形成ブランクの領域に対応する、異なる温度で冷却／加熱道具の少なくとも２つの金型ブロックを操作し、高い温度のブロックは、それらの機能表面が軟らかい領域が形成されるべき前記ブランクの部分に、接触して入るように構成されるように、ブランクに対して配置される、方法。
【請求項１１】
さらに、前記冷却／加熱道具から前記押圧道具へ前記ブランクを移動し、
前記押圧道具の上部及び下部の金型の間に前記ブランクを配置し、
構造部品を押圧するために、前記押す固定された下部の本体に対して、前記最終的な所望の位置に到達するまで、前記固定された下部の本体に対して、前記可動性の上部の本体を下へ押す進行を提供することによって、前記ブランクを引く、請求項１０に記載の方法を備える、ブランクを引く方法。
【請求項１２】
さらに局所的に異なる微細構造と機械的特性を有する被形成ブランクの領域に対応する、異なる温度で少なくとも２つの押圧道具の金型ブロックを操作することを備える、請求項５を引用する請求項１１に記載の方法。
【請求項１３】
さらに、前記押圧道具から前記第１の後操作道具へ前記ブランクを移動し、
前記第１の後操作道具の上部及び下部の対になっている金型の間に前記被形成構造部品を配置し、
前記ブランクを押圧するために、前記押す固定された下部に対して、前記最終的な所望の位置に到達するまで、前記押す固定された下部の本体に対して、前記押す可動性の上部の本体に下へ押す進行を提供し、
前記第１の後操作道具の鋸刃を使って、前記ブランクを切るまたは押し抜きをする、請求項７を引用する請求項１１または請求項１２に記載の方法を備える、ブランクを突き通す及び／または切り取る方法。
【請求項１４】
さらに、前記ブランクを切るまたは押し抜きをする前に、局所的に異なる微細構造と機械的特性を有する被形成ブランクの領域に対応する、異なる温度で、前記第１の後操作道具の少なくとも２つの金型ブロックを操作することを備える、請求項８を引用する請求項１３に記載の方法。
【請求項１５】
さらに前記第１の後操作道具から前記第２の後操作道具へ構造部品を運び、
前記構造部品を押圧するために、前記最終的な所望の位置に到達するまで、前記押す固定された下部の本体に対して、前記押す可動性の上部の本体の下へ押す進行を提供し、
前記鋸刃を使って、前記構造部品を切るまたは押し抜きをし、
それぞれの上部及び下部の金型の前記機能表面にそって、被形成構造部品を変形するように、前記上部及び下部の金型の間の距離を調整する、請求項９を引用する、請求項１３または請求項１４に記載の方法を備える、熱間成形された被形成構造部品をさらに、突き通す及び／または切り取る及び調整する方法。